Podtech/llm-jp-corpus-v4-ja_patent huggingface dataset:
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作受付が許容される受付演出期間を発生させる受付演出実行手段と
を備え、
前記受付演出期間には、第１の受付演出期間及び第２の受付演出期間が少なくとも用意されており、
前記第１の受付演出期間では、
当該第１の受付演出期間に対応する受付許容音が可聴出力されるが、操作受付が許容されることに関連したメッセージ表示が表示されることはないようになっており、
前記第２の受付演出期間では、
当該第２の受付演出期間に対応する受付許容音が可聴出力されるとともに、操作受付が許容されることに関連したメッセージ表示が表示されるようになっており、
前記第１の受付演出期間において遊技者による操作によって操作受付がなされると、第１受付後演出を、前記所定の結果が得られている期待度が異なる複数態様のいずれかで実行可能であり、前記第２の受付演出期間において遊技者による操作によって操作受付がなされると、前記第１受付後演出とは演出内容が異なる第２受付後演出を、前記所定の結果が得られている期待度が異なる複数態様のいずれかで実行可能であり、
前記受付許容音は、前記第１の受付演出期間が発生する場合と前記第２の受付演出期間が発生する場合とで同じ態様で可聴出力されうるが、前記第１の受付演出期間では当該受付許容音が可聴出力されているときに操作受付がなされてもこれを契機として該受付許容音の可聴出力が終了されることはなく、前記第２の受付演出期間では当該受付許容音が可聴出力されているときに操作受付がなされるとこれを契機として該受付許容音の可聴出力が終了されうるようになっており、
さらに、
前記第１の受付演出期間と前記第２の受付演出期間とは、１つの変動パターン内で順次に発生しうるものであり、
さらに、
前記第２の受付演出期間が発生するときにこれに関連して表示される前記メッセージ表示は、前記第２受付後演出が実行開始される時点においても非表示の状態にされておらず表示状態を維持しうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
操作受付が許容される受付演出期間を発生させる受付演出実行手段と
を備え、
前記受付演出期間には、第１の受付演出期間及び第２の受付演出期間が少なくとも用意されており、
前記第１の受付演出期間では、
当該第１の受付演出期間に対応する受付許容音が可聴出力されるが、操作受付が許容されることに関連したメッセージ表示が表示されることはないようになっており、
前記第２の受付演出期間では、
当該第２の受付演出期間に対応する受付許容音が可聴出力されるとともに、操作受付が許容されることに関連したメッセージ表示が表示されるようになっており、
前記第１の受付演出期間において遊技者による操作によって操作受付がなされると、第１受付後演出を、前記所定の結果が得られている期待度が異なる複数態様のいずれかで実行可能であり、前記第２の受付演出期間において遊技者による操作によって操作受付がなされると、前記第１受付後演出とは演出内容が異なる第２受付後演出を、前記所定の結果が得られている期待度が異なる複数態様のいずれかで実行可能であり、
前記受付許容音は、前記第１の受付演出期間が発生する場合と前記第２の受付演出期間が発生する場合とで同じ態様で可聴出力されうるが、前記第１の受付演出期間では当該受付許容音が可聴出力されているときに操作受付がなされてもこれを契機として該受付許容音の可聴出力が終了されることはなく、前記第２の受付演出期間では当該受付許容音が可聴出力されているときに操作受付がなされるとこれを契機として該受付許容音の可聴出力が終了されうるようになっており、
さらに、
前記第１の受付演出期間と前記第２の受付演出期間とは、１つの変動パターン内で順次に発生しうるものであり、
さらに、
前記第２の受付演出期間が発生するときにこれに関連して表示される前記メッセージ表示は、前記第２受付後演出が実行開始される時点においても非表示の状態にされておらず表示状態を維持しうる
ことを特徴とする遊技機。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作受付が許容される受付演出状態を発生させるとともに、該受付演出状態で操作受付がなされると操作後演出を実行可能な受付演出発生手段と、
前記受付演出状態が発生する場合、操作受付が許容される期間へと移行することを示唆する前兆演出表示を行う前兆演出表示手段と、
前記受付演出状態が発生する場合、操作受付が許容される期間へと移行すること、または操作受付が許容される期間へと移行したことを示唆する操作関連演出音を出力する操作関連音出力手段と
を備え、
前記受付演出状態の種別として、前記操作後演出としての演出内容が異なる第１受付演出状態及び第２受付演出状態が少なくとも用意されており、前記第１受付演出状態が発生する場合にこれに対応して行われる前記前兆演出表示と、前記第２受付演出状態が発生する場合にこれに対応して行われる前記前兆演出表示とでは、それら前兆演出表示が開始されてから操作受付が許容される期間へと移行するまでの時間の長さが異なっており、
前記第２受付演出状態が発生する場合、前記前兆演出表示が開始されてから操作受付が許容される期間へと移行するまでの時間が前記第１受付演出状態の場合よりも長くされており、
前記第２受付演出状態が発生する場合にこれに対応して行われる前記操作関連演出音の再生区間は、当該第２受付演出状態での操作受付が許容される期間へと移行するよりも前の前記前兆演出表示が行われている期間と、当該第２受付演出状態での操作受付が許容される期間とに跨るように設定されている
ことを特徴とする遊技機。
【請求項２】
前記第１受付演出状態が発生する場合にこれに対応して行われる前記操作関連演出音の再生区間は、当該第１受付演出状態での操作受付が許容される期間内においては設定されているが、前記第１受付演出状態での操作受付が許容される期間へと移行するよりも前の前記前兆演出表示が行われている期間内には設定されていない
請求項１に記載の遊技機。
【手続補正２】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
操作受付が許容される受付演出状態を発生させるとともに、該受付演出状態で操作受付がなされると操作後演出を実行可能な受付演出発生手段と、
前記受付演出状態が発生する場合、操作受付が許容される期間へと移行することを示唆する前兆演出表示を行う前兆演出表示手段と、
前記受付演出状態が発生する場合、操作受付が許容される期間へと移行すること、または操作受付が許容される期間へと移行したことを示唆する操作関連演出音を出力する操作関連音出力手段と
を備え、
前記受付演出状態の種別として、前記操作後演出としての演出内容が異なる第１受付演出状態及び第２受付演出状態が少なくとも用意されており、前記第１受付演出状態が発生する場合にこれに対応して行われる前記前兆演出表示と、前記第２受付演出状態が発生する場合にこれに対応して行われる前記前兆演出表示とでは、それら前兆演出表示が開始されてから操作受付が許容される期間へと移行するまでの時間の長さが異なっており、
前記第２受付演出状態が発生する場合、前記前兆演出表示が開始されてから操作受付が許容される期間へと移行するまでの時間が前記第１受付演出状態の場合よりも長くされており、
前記第２受付演出状態が発生する場合にこれに対応して行われる前記操作関連演出音の再生区間は、当該第２受付演出状態での操作受付が許容される期間へと移行するよりも前の前記前兆演出表示が行われている期間と、当該第２受付演出状態での操作受付が許容される期間とに跨るように設定されている
ことを特徴とする遊技機。
【手続補正３】
【補正対象書類名】明細書
【補正対象項目名】０００８
【補正方法】削除
【補正の内容】
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
演出受付が許容される受付演出を発生させる受付演出実行手段と、
前記受付演出において演出受付がなされると、該演出受付に応じた受付後演出を実行する受付後演出実行手段と、
前記受付演出が発生する場合、演出受付が許容される状態になったこと、または演出受付が許容される状態になることを示唆する受付許容音を可聴出力可能な許容音出力手段と
を備え、
前記受付演出として、少なくとも第１受付演出及び第２受付演出が用意されており、
前記第１受付演出での演出受付が許容される状態が発生するのに先立って、該第１受付演出に対応する受付前演出として第１の受付前演出表示が実行可能とされ、
前記第２受付演出での演出受付が許容される状態が発生するのに先立って、該第２受付演出に対応する受付前演出として第２の受付前演出表示が実行可能とされ、
前記第２の受付前演出表示は、前記第１の受付前演出表示よりも長い時間にわたって実行可能とされており、
前記第２の受付前演出表示が実行される場合は、該第２の受付前演出表示に対応する前兆演出音が可聴出力され、その後、該前兆演出音とは異なる前記受付許容音が可聴出力されるが、前記第１の受付前演出表示が実行される場合は、該第１の受付前演出表示に対応する前兆演出音が可聴出力されることなく前記受付許容音が可聴出力されるようになっており、
さらに、
前記第１受付演出は、特定ＢＧＭが可聴出力されているなかで発生するが、前記第２受付演出は、前記特定ＢＧＭが非可聴の状態にされているなかで発生可能であり、
さらに、
前記許容音出力手段は、前記受付許容音を第１態様で可聴出力する場合と第２態様で可聴出力する場合とが少なくともあり、
前記受付演出が発生するときに前記受付許容音が第１態様で可聴出力されると、当該受付演出で演出受付がなされなかった場合であっても該演出受付がなされたときと同じ受付後演出が必ず実行されるが、前記受付演出が発生するときに前記受付許容音が第２態様で可聴出力されると、該演出受付がなされたときと同じ受付後演出が実行される場合と同じ受付後演出が実行されない場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
演出受付が許容される受付演出を発生させる受付演出実行手段と、
前記受付演出において演出受付がなされると、該演出受付に応じた受付後演出を実行する受付後演出実行手段と、
前記受付演出が発生する場合、演出受付が許容される状態になったこと、または演出受付が許容される状態になることを示唆する受付許容音を可聴出力可能な許容音出力手段と
を備え、
前記受付演出として、少なくとも第１受付演出及び第２受付演出が用意されており、
前記第１受付演出での演出受付が許容される状態が発生するのに先立って、該第１受付演出に対応する受付前演出として第１の受付前演出表示が実行可能とされ、
前記第２受付演出での演出受付が許容される状態が発生するのに先立って、該第２受付演出に対応する受付前演出として第２の受付前演出表示が実行可能とされ、
前記第２の受付前演出表示は、前記第１の受付前演出表示よりも長い時間にわたって実行可能とされており、
前記第２の受付前演出表示が実行される場合は、該第２の受付前演出表示に対応する前兆演出音が可聴出力され、その後、該前兆演出音とは異なる前記受付許容音が可聴出力されるが、前記第１の受付前演出表示が実行される場合は、該第１の受付前演出表示に対応する前兆演出音が可聴出力されることなく前記受付許容音が可聴出力されるようになっており、
さらに、
前記第１受付演出は、特定ＢＧＭが可聴出力されているなかで発生するが、前記第２受付演出は、前記特定ＢＧＭが非可聴の状態にされているなかで発生可能であり、
さらに、
前記許容音出力手段は、前記受付許容音を第１態様で可聴出力する場合と第２態様で可聴出力する場合とが少なくともあり、
前記受付演出が発生するときに前記受付許容音が第１態様で可聴出力されると、当該受付演出で演出受付がなされなかった場合であっても該演出受付がなされたときと同じ受付後演出が必ず実行されるが、前記受付演出が発生するときに前記受付許容音が第２態様で可聴出力されると、該演出受付がなされたときと同じ受付後演出が実行される場合と同じ受付後演出が実行されない場合との両方がある
ことを特徴とする遊技機。
【手続補正４】
【補正対象書類名】明細書
【補正対象項目名】０００８
【補正方法】削除
【補正の内容】
【手続補正書】
【提出日】令和2年5月14日(2020.5.14)
【手続補正１】
【補正対象書類名】明細書
【補正対象項目名】０００５
【補正方法】変更
【補正の内容】
【０００５】
以上の課題を解決するため、請求項１に記載の発明は、
識別情報を変動表示した後に停止表示するゲームを行う表示装置を備えた遊技機において、
当該遊技機に対する所定の介入に対応する報知として、第１報知表示を前記表示装置に表示する報知を実行可能な報知手段を備え、
前記第１報知表示は、遊技者の音量調整操作に応じて変化する音量調整表示であり、
前記変動表示の実行中に表示可能である一方、前記停止表示の実行中及び前記表示装置に停電復旧画面が表示されている場合に非表示となることを特徴とする。
【手続補正２】
【補正対象書類名】特許請求の範囲
【補正対象項目名】全文
【補正方法】変更
【補正の内容】
【特許請求の範囲】
【請求項１】
識別情報を変動表示した後に停止表示するゲームを行う表示装置を備えた遊技機において、
当該遊技機に対する所定の介入に対応する報知として、第１報知表示を前記表示装置に表示する報知を実行可能な報知手段を備え、
前記第１報知表示は、遊技者の音量調整操作に応じて変化する音量調整表示であり、
前記変動表示の実行中に表示可能である一方、前記停止表示の実行中及び前記表示装置に停電復旧画面が表示されている場合に非表示となることを特徴とする遊技機。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、
第１識別情報の可変表示と第２識別情報の可変表示とを並行して実行可能な可変表示実行手段と、
可変表示の表示結果として特定表示結果が導出表示されたときに、遊技者にとって有利な有利状態に制御可能な有利状態制御手段と、
可変表示の表示結果として前記特定表示結果とは異なる特殊表示結果が導出表示されたときに、前記有利状態とは異なる特殊状態に制御可能な特殊状態制御手段と、
前記第２識別情報の可変表示の表示結果が前記特殊表示結果となる頻度を高めた特別状態に制御可能な特別状態制御手段と、
可変表示の表示結果を決定するための判定値を用いて、可変表示の表示結果を決定する表示結果決定手段と、
非特定状態と該非特定状態よりも前記有利状態に制御されやすい特定状態とに制御可能な特定状態制御手段とを備え、
前記判定値には、可変表示の表示結果として前記特定表示結果を導出表示することを決定するための特定判定値と、可変表示の表示結果として前記特殊表示結果を導出表示することを決定するための特殊判定値とが含まれ、
前記特定判定値の数が異なる複数の設定値のうちのいずれかの設定値に設定可能な設定手段を備え、
前記特殊判定値の数は、設定値によらず共通であり、かつ前記非特定状態に制御されているときと前記特定状態に制御されているときとで共通である
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、可変表示を行うことが可能な遊技機であって、第１識別情報の可変表示と第２識別情報の可変表示とを並行して実行可能な可変表示実行手段と、可変表示の表示結果として特定表示結果が導出表示されたときに、遊技者にとって有利な有利状態に制御可能な有利状態制御手段と、可変表示の表示結果として特定表示結果とは異なる特殊表示結果が導出表示されたときに、有利状態とは異なる特殊状態に制御可能な特殊状態制御手段と、第２識別情報の可変表示の表示結果が特殊表示結果となる頻度を高めた特別状態に制御可能な特別状態制御手段と、可変表示の表示結果を決定するための判定値を用いて、可変表示の表示結果を決定する表示結果決定手段と、非特定状態と該非特定状態よりも有利状態に制御されやすい特定状態とに制御可能な特定状態制御手段とを備え、判定値には、可変表示の表示結果として特定表示結果を導出表示することを決定するための特定判定値と、可変表示の表示結果として特殊表示結果を導出表示することを決定するための特殊判定値とが含まれ、特定判定値の数が異なる複数の設定値のうちのいずれかの設定値に設定可能な設定手段を備え、特殊判定値の数は、設定値によらず共通であり、かつ非特定状態に制御されているときと特定状態に制御されているときとで共通であることを特徴とする。
（手段１）また、他の遊技機として、可変表示を行うことが可能な遊技機であって、可変表示の表示結果として特定表示結果（例えば、大当り図柄）が導出表示されたときに、遊技者にとって有利な有利状態（例えば、大当り遊技状態）に制御可能な有利状態制御手段（例えば、遊技制御用マイクロコンピュータ１００におけるステップＳ１１５Ａ〜Ｓ１１８Ａを実行する部分）と、可変表示の表示結果として特定表示結果とは異なる特殊表示結果（例えば、小当り図柄）が導出表示されたときに、有利状態とは異なる特殊状態（例えば、小当り遊技状態）に制御可能な特殊状態制御手段（例えば、遊技制御用マイクロコンピュータ１００におけるステップＳ１１９Ａ〜Ｓ１２１Ａを実行する部分）と、可変表示の表示結果を決定するための判定値（例えば、大当り判定用の判定値、小当り判定用の判定値）を用いて、可変表示の表示結果を決定する表示結果決定手段（例えば、遊技制御用マイクロコンピュータ１００におけるステップ０２６ＩＷＳ５９Ａ，Ｓ６４Ａ，Ｓ５９Ｂ，Ｓ６４Ｂを実行する部分）と、非特定状態（例えば、非確変状態）と該非特定状態よりも有利状態に制御されやすい特定状態（例えば、確変状態）とに制御可能な特定状態制御手段（例えば、遊技制御用マイクロコンピュータ１００におけるステップ０２６ＩＷＳ２２０７Ａ，Ｓ２２１２Ａ，Ｓ２２０７Ｂ，Ｓ２２１２Ｂを実行する部分）とを備え、判定値には、可変表示の表示結果として特定表示結果を導出表示することを決定するための特定判定値（例えば、大当り判定用の判定値）と、可変表示の表示結果として特殊表示結果を導出表示することを決定するための特殊判定値（例えば、小当り判定用の判定値）とが含まれ、特定判定値の数が異なる複数の設定値（例えば、設定値「１」〜「６」）のうちのいずれかの設定値に設定可能な設定手段（例えば、遊技制御用マイクロコンピュータ１００におけるステップＳ２１ＴＭ４５３０〜Ｓ２１ＴＭ４６２０を実行する部分）を備え、特殊判定値の数は、設定値によらず共通であり、かつ非特定状態に制御されているときと特定状態に制御されているときとで共通である（図９−１および図９−２参照）ことを特徴としてもよい。そのような構成によれば、適切な遊技性を実現することができる。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
可動物の動作を制御する可動物制御手段を備える遊技機であって、
前記可動物制御手段は、
前記可動物を第１位置から第２位置へ移動可能であり、
前記可動物を前記第１位置から前記第２位置へ移動させるときに、前記第２位置とは逆の位置である第３位置へ前記可動物を移動させた後に、前記第３位置から前記第２位置へ前記可動物を移動させることが可能であり、
前記第１位置から前記第３位置への前記可動物の移動速度よりも前記第３位置から前記第２位置への前記可動物の移動速度を速くする、
ことを特徴する遊技機。
【手続補正２】
【補正対象書類名】明細書
【補正対象項目名】０００７
【補正方法】変更
【補正の内容】
【０００７】
（１）上記目的を達成するため、本発明に係る遊技機は、
可動物（例えば可動体０２４ＡＫ００１など）の動作を制御する可動物制御手段を備える遊技機（例えばパチンコ遊技機１など）であって、
前記可動物制御手段は、
前記可動物を第１位置から第２位置へ移動可能であり（例えば第１位置から第２位置へ動作可能であるなど）、
前記可動物を前記第１位置から前記第２位置へ移動させるときに、前記第２位置とは逆の位置である第３位置へ前記可動物を移動させた後に、前記第３位置から前記第２位置へ前記可動物を移動させることが可能であり（例えば可動体演出において可動体０２４ＡＫ００１を第１位置から第２位置へ動作させるにあたり、遊技者から見て第２位置とは逆方向の位置である第３位置に動作させた後に、第２位置へ動作させるなど）、
前記第１位置から前記第３位置への前記可動物の移動速度よりも前記第３位置から前記第２位置への前記可動物の移動速度を速くする、
ことを特徴する。
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
装飾体と、
表示手段と、
を備え、
前記装飾体は、第１特定態様と該第１特定態様よりも遊技者が視認困難な第２特定態様とに変化可能であり、
前記表示手段は、
前記装飾体を模した擬似装飾体表示を表示可能であり、
前記装飾体の第２特定態様への変化に応じて前記装飾体が変化し得る態様とは異なる態様により前記擬似装飾体表示を表示可能であり、
前記装飾体は、第１位置から前記表示手段の背面側であって前記表示手段と重複する範囲の広い第２位置に移動可能であり、
前記装飾体の第２特定態様への変化は、前記装飾体の前記第２位置への移動である
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
遊技が可能な遊技機（例えば、パチンコ遊技機１）であって、
装飾体（例えば、可動体０４２ＳＧ５１１）と、
表示手段（例えば、画像表示装置５）と、
を備え、
前記装飾体は、第１特定態様と該第１特定態様よりも遊技者が視認困難な第２特定態様とに変化可能であり（例えば、図１１−１０に示すように、可動体０４２ＳＧ５１１が遊技者から視認可能な画像表示装置５の上方位置と遊技者から視認不能な画像表示装置の背面位置とで移動可能な部分）、
前記表示手段は、
前記装飾体を模した擬似装飾体表示（例えば、図１１−１０に示す画像０４２ＳＧ５ｂ）を表示可能であり、
前記装飾体の第２特定態様への変化に応じて前記装飾体が変化し得る態様とは異なる態様により前記擬似装飾体表示を表示可能であり（例えば、図１１−１０に示すように、画像表示装置５に表示された画像０４２ＳＧ５ｂが遊技者に向けて近接してくるように表示される部分）、
前記装飾体は、第１位置から前記表示手段の背面側であって前記表示手段と重複する範囲の広い第２位置に移動可能であり、
前記装飾体の第２特定態様への変化は、前記装飾体の前記第２位置への移動である
ことを特徴としている。
この特徴によれば、演出効果を高めることができる。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、
可変表示の表示結果として特定表示結果が導出表示されたときに、遊技者にとって有利な有利状態に制御可能な有利状態制御手段と、
可変表示の表示結果として前記特定表示結果とは異なる特殊表示結果が導出表示されたときに、前記有利状態とは異なる特殊状態に制御可能な特殊状態制御手段と、
非特定状態と該非特定状態よりも有利状態に制御されやすい特定状態とに制御可能な特定状態制御手段と、
可変表示の表示結果を決定するための判定値を用いて、可変表示の表示結果を決定する表示結果決定手段と、を備え、
前記判定値には、可変表示の表示結果として前記特定表示結果を導出表示することを決定するための特定判定値と、可変表示の表示結果として前記特殊表示結果を導出表示することを決定するための特殊判定値と、可変表示の表示結果として前記特定表示結果および前記特殊表示結果とは異なる所定表示結果とすることを決定するための所定判定値とが含まれ、
前記特定判定値の数が異なる複数の設定値のうちのいずれかの設定値に設定可能な設定手段を備え、
前記特殊判定値の数は、設定値によらず共通であり、
前記所定判定値は、全ての設定値の特定状態に対応する前記判定値に含まれ、
前記所定判定値の数は、設定値に応じて異なる
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、可変表示を行うことが可能な遊技機であって、可変表示の表示結果として特定表示結果が導出表示されたときに、遊技者にとって有利な有利状態に制御可能な有利状態制御手段と、可変表示の表示結果として特定表示結果とは異なる特殊表示結果が導出表示されたときに、有利状態とは異なる特殊状態に制御可能な特殊状態制御手段と、非特定状態と該非特定状態よりも有利状態に制御されやすい特定状態とに制御可能な特定状態制御手段と、可変表示の表示結果を決定するための判定値を用いて、可変表示の表示結果を決定する表示結果決定手段と、を備え、判定値には、可変表示の表示結果として特定表示結果を導出表示することを決定するための特定判定値と、可変表示の表示結果として特殊表示結果を導出表示することを決定するための特殊判定値と、可変表示の表示結果として特定表示結果および特殊表示結果とは異なる所定表示結果とすることを決定するための所定判定値とが含まれ、特定判定値の数が異なる複数の設定値のうちのいずれかの設定値に設定可能な設定手段を備え、特殊判定値の数は、設定値によらず共通であり、所定判定値は、全ての設定値の特定状態に対応する判定値に含まれ、所定判定値の数は、設定値に応じて異なることを特徴とする。
（手段１）また、他の遊技機として、可変表示を行うことが可能な遊技機であって、可変表示の表示結果として特定表示結果（例えば、大当り図柄）が導出表示されたときに、遊技者にとって有利な有利状態（例えば、大当り遊技状態）に制御可能な有利状態制御手段（例えば、遊技制御用マイクロコンピュータ１００におけるステップＳ１１５Ａ〜Ｓ１１８Ａを実行する部分）と、可変表示の表示結果として特定表示結果とは異なる特殊表示結果（例えば、小当り図柄）が導出表示されたときに、有利状態とは異なる特殊状態（例えば、小当り遊技状態）に制御可能な特殊状態制御手段（例えば、遊技制御用マイクロコンピュータ１００におけるステップＳ１１９Ａ〜Ｓ１２１Ａを実行する部分）と、可変表示の表示結果を決定するための判定値（例えば、大当り判定用の判定値、小当り判定用の判定値）を用いて、可変表示の表示結果を決定する表示結果決定手段（例えば、遊技制御用マイクロコンピュータ１００におけるステップ０２６ＩＷＳ５９Ａ，Ｓ６４Ａ，Ｓ５９Ｂ，Ｓ６４Ｂを実行する部分）とを備え、判定値には、可変表示の表示結果として特定表示結果を導出表示することを決定するための特定判定値（例えば、大当り判定用の判定値）と、可変表示の表示結果として特殊表示結果を導出表示することを決定するための特殊判定値（例えば、小当り判定用の判定値）と、可変表示の表示結果として特定表示結果および特殊表示結果とは異なる所定表示結果とすることを決定するための所定判定値（例えば、はずれ判定用の判定値）とが含まれ、特定判定値の数が異なる複数の設定値（例えば、設定値「１」〜「６」）のうちのいずれかの設定値に設定可能な設定手段（例えば、遊技制御用マイクロコンピュータ１００におけるステップＳ２１ＴＭ４５３０〜Ｓ２１ＴＭ４６２０を実行する部分）を備え、特殊判定値の数は、設定値によらず共通であり（図９−１および図９−２参照）、所定判定値は、全ての設定値に対応する判定値に含まれ、所定判定値の数は、設定値に応じて異なる（図９−１および図９−２参照）ことを特徴としてもよい。そのような構成によれば、設定値の推測の困難性を高めて、遊技に対する興趣を向上させることができる。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
金属及びリン原子を含む炭素触媒であって、
Ｘ線光電子分光法測定において、炭素原子の濃度（原子％）に対する、リン原子Ｐ２ｐピークのピーク分離により得られる１３２．５±０．３ｅＶの範囲にピークトップを有し半値全幅が２．０±０．５ｅＶであるピークを示すリン原子の濃度（原子％）の比率が、０．０００５以上であり、
粉末Ｘ線回折測定において、Ｘ線回折図形における回折角（２θ）が２６°付近のピークを分離することにより得られる下記２つのピークｆｂｒｏａｄ及びｆｎａｒｒｏｗの面積割合（％）が下記条件（ａ）及び（ｂ）を満たす炭素構造を有する：
（ａ）回折角（２θ）が２３．５°±３．５°の範囲にピークトップを有し半値全幅が１０．０°±５．０°であるピークｆｂｒｏａｄ：７３．０％以上、１００．０％未満；
（ｂ）回折角（２θ）が２６．５°±１．０°の範囲にピークトップを有し半値全幅が３．５°±３．０°であるピークｆｎａｒｒｏｗ：０．０％超、２７．０％以下；
ことを特徴とする炭素触媒。
【請求項２】
Ｘ線光電子分光法測定において、前記リン原子Ｐ２ｐピークのピーク分離により得られる下記５つのピーク（１）〜（５）の面積の合計に対する、下記ピーク（２）の面積の比率が、０．３０００以上である：
（１）１３０．０±０．３ｅＶの範囲にピークトップを有し半値全幅が２．０±０．５ｅＶであるピーク；
（２）前記１３２．５±０．３ｅＶの範囲にピークトップを有し半値全幅が２．０±０．５ｅＶであるピーク；
（３）１３３．２±０．３ｅＶの範囲にピークトップを有し半値全幅が２．０±０．５ｅＶであるピーク；
（４）１３３．９±０．３ｅＶの範囲にピークトップを有し半値全幅が２．０±０．５ｅＶであるピーク；及び
（５）１３５．６±０．４ｅＶの範囲にピークトップを有し半値全幅が２．０±０．５ｅＶであるピーク；
ことを特徴とする請求項１に記載の炭素触媒。
【請求項３】
請求項１又は２に記載の炭素触媒を含む
ことを特徴とする電極。
【請求項４】
請求項３に記載の電極を含む
ことを特徴とする電池。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
演出出力玩具であって、
玩具本体と、該玩具本体の動きを検出する動き検出部と、演出を出力するための演出出力部と、該演出出力部による演出の出力を制御する制御部と、を備え、
前記制御部は、前記動き検出部による前記玩具本体の第１の位置から第２の位置への動きの検出に応じて前記演出を出力可能に前記演出出力部を制御し、前記第１の位置での前記玩具本体の静止時間に応じて該演出を変化させる、
演出出力玩具。
【請求項２】
請求項１に記載の演出出力玩具において、
前記制御部は、前記玩具本体が前記第１の位置に在るときに、該第１の位置に対応した第１の演出を出力可能に前記演出出力部を制御する、
演出出力玩具。
【請求項３】
請求項２記載の演出出力玩具において、
前記制御部は、前記玩具本体が前記第１の位置に在るとき、該第１の位置での静止時間に応じて、前記演出出力部による該第１の演出を変化させる、
演出出力玩具。
【請求項４】
請求項１〜３のいずれか１項に記載の演出出力玩具において、
前記制御部は、前記玩具本体が前記第２の位置に在るときに、該第２の位置に対応し前記第１の演出とは異なる第２の演出を出力可能に前記演出出力部を制御する、
演出出力玩具。
【請求項５】
請求項４記載の演出出力玩具において、
前記制御部は、前記玩具本体が前記第２の位置に在るとき、該第２の位置での静止時間に応じて、前記演出出力部による該第２の演出を変化させる、
演出出力玩具。
【手続補正２】
【補正対象書類名】明細書
【補正対象項目名】０００６
【補正方法】変更
【補正の内容】
【０００６】
本発明に係る演出出力玩具は、玩具本体と、前記玩具本体の動きを検出する動き検出部と、体感可能な演出を出力するための演出出力部と、当該玩具本体の予め定められた動きを複数記憶する記憶部と、当該予め定められた動きのうち何れか１つの動きを選択する動き選択部と、当該演出出力部による演出の出力を制御する制御部とを有し、前記制御部は、前記玩具本体の動きが前記動き選択部により選択された予め定められた動きであることを前記動き検出部が検出したことを条件として、前記演出出力部から前記体感可能な演出を出力するように制御可能とし、前記玩具本体の動きが前記動き選択部により選択された予め定められた動きではないことを前記動き検出部が検出したことを条件として、前記演出出力部から前記予め定められた動きではないことを示す演出を出力するように制御可能となるように構成されている。また、本発明に係る演出出力玩具は、玩具本体と、該玩具本体の動きを検出する動き検出部と、演出を出力するための演出出力部と、制御部と、を備え、  前記制御部は、前記動き検出部による前記玩具本体の第１の位置から第２の位置への動きの検出に応じて前記演出を出力可能に前記演出出力部を制御し、前記第１の位置での前記玩具本体の静止時間に応じて該演出を変化させる。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
被検眼の隅角領域へ光を投光する投光光学系、および、前記隅角領域からの反射光を受光する受光素子を有する受光光学系、を持つ撮影光学系と、
前記受光素子からの信号に基づいて隅角画像を生成する撮像処理手段と、
前記隅角画像から前記被検眼の隅角における特徴部を検出する検出手段と、を備える眼科装置。
【請求項２】
前記被検眼と前記撮影光学系との位置関係を変更させるアライメント駆動手段と、
前記隅角画像における前記特徴部の位置に応じて前記位置関係を調整させるアライメント制御手段と、を備える請求項１記載の眼科装置。
【請求項３】
前記撮影光学系は、固視光軸に対して傾斜した撮影光軸であって、前記被検眼の隅角へ向かう撮影光軸を有し、
前記アライメント制御手段は、前記隅角画像における前記特徴部の位置であって、前記固視光軸を中心とする半径方向、に関する位置に応じて、前記位置関係を調整させる請求項１又は２記載の眼科装置。
【請求項４】
前記アライメント制御手段は、線維柱帯を前記特徴部として検出する請求項１から３のいずれかに記載の眼科装置。
【請求項５】
前記隅角画像はカラー画像であり、
前記画像処理手段は、前記被検眼における虹彩の色に応じた検出処理にて、前記特徴部を検出する請求項１から４のいずれかに記載の眼科装置。
【手続補正２】
【補正対象書類名】明細書
【補正対象項目名】０００７
【補正方法】変更
【補正の内容】
【０００７】
本開示の第一態様に係る眼科装置は、被検眼の隅角領域へ光を投光する投光光学系、および、前記隅角領域からの反射光を受光する受光素子を有する受光光学系、を持つ撮影光学系と、前記受光素子からの信号に基づいて隅角画像を生成する撮像処理手段と、前記隅角画像から前記被検眼の隅角における特徴部を検出する検出手段と、を備える。
【手続補正書】
【提出日】令和2年6月30日(2020.6.30)
【手続補正１】
【補正対象書類名】特許請求の範囲
【補正対象項目名】請求項１
【補正方法】変更
【補正の内容】
【請求項１】
遊技履歴情報をＴ１（Ｔ１は期間）ごとに切り替え、複数種類の遊技履歴情報を表示可能な表示部を備え、
遊技履歴情報は、遊技履歴の種類に関する情報と、遊技履歴に関する数値情報とにより構成され、
ある遊技履歴情報を表示するときに、遊技履歴の種類に関する情報を点滅表示する場合を有し、
ある遊技履歴情報の遊技履歴の種類に関する情報を点滅表示するときには、Ｔ２（Ｔ２は期間）ごとに点灯と消灯を繰り返し、
ある遊技履歴情報の遊技履歴に関する数値情報は、小数点以下を切り捨てた比率情報であり、
Ｔ１＝２×ｎ×Ｔ２（ｎは自然数）
となるように構成されている
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明（第２６実施形態）は、
遊技履歴情報（有利区間比率、連続役物比率（６０００回）、役物比率（６０００回）、連続役物比率（累計）、役物比率（累計））をＴ１（Ｔ１は期間）（２．２３５ｍｓ×２１４４＝４７９１．８４ｍｓ）ごとに切り替え、複数種類（５種類）の遊技履歴情報を表示可能な表示部（管理情報表示ＬＥＤ７４（デジット６〜９））を備え、
遊技履歴情報は、遊技履歴の種類に関する情報と、遊技履歴に関する数値情報とにより構成され、
ある遊技履歴情報を表示するときに、遊技履歴の種類に関する情報を点滅表示する（たとえば有利区間比率を表示する場合において、遊技回数が「１７５０００」回未満であるときは識別セグを点滅表示し、比率が「７０」以上であるときは比率セグを点滅表示する）場合を有し、
ある遊技履歴情報の遊技履歴の種類に関する情報を点滅表示するときには、Ｔ２（Ｔ２は期間）（２．２３５ｍｓ×１３４＝２９９．４９ｍｓ）ごとに点灯と消灯を繰り返し、
ある遊技履歴情報の遊技履歴に関する数値情報は、小数点以下を切り捨てた比率情報であり、
Ｔ１＝２×ｎ×Ｔ２（ｎは自然数）
となるように構成されている
ことを特徴とする。
【手続補正４】
【補正対象書類名】明細書
【補正対象項目名】０００６
【補正方法】変更
【補正の内容】
【０００６】
本発明によれば、遊技履歴情報の表示を次の遊技履歴情報に切り替えるタイミングと、遊技履歴情報を点滅表示するときの点滅開始タイミングとを一致させることができる。これにより、遊技履歴情報を点滅表示する場合に点滅のタイミングがずれ、表示部が故障していると誤認させないようにすることができる。
【手続補正書】
【提出日】令和2年6月30日(2020.6.30)
【手続補正１】
【補正対象書類名】特許請求の範囲
【補正対象項目名】請求項１
【補正方法】変更
【補正の内容】
【請求項１】
遊技履歴情報をＴ１（Ｔ１は期間）ごとに切り替え、複数種類の遊技履歴情報を表示可能な表示部を備え、
遊技履歴情報は、遊技履歴の種類に関する情報と、遊技履歴に関する数値情報とにより構成され、
ある遊技履歴情報を表示するときに、遊技履歴の種類に関する情報を点滅表示する場合を有し、
ある遊技履歴情報の遊技履歴の種類に関する情報を点滅表示するときには、Ｔ２（Ｔ２は期間）ごとに点灯と消灯を繰り返し、
ある遊技履歴情報の遊技履歴に関する数値情報を算出するための所定の記憶手段を有し、
前記所定の記憶手段に記憶されている値が所定の上限値に達している場合には、前記所定の記憶手段に記憶されている値を更新せず、
Ｔ１＝２×ｎ×Ｔ２（ｎは自然数）
となるように構成されている
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明（第２６実施形態）は、
遊技履歴情報（有利区間比率、連続役物比率（６０００回）、役物比率（６０００回）、連続役物比率（累計）、役物比率（累計））をＴ１（Ｔ１は期間）（２．２３５ｍｓ×２１４４＝４７９１．８４ｍｓ）ごとに切り替え、複数種類（５種類）の遊技履歴情報を表示可能な表示部（管理情報表示ＬＥＤ７４（デジット６〜９））を備え、
遊技履歴情報は、遊技履歴の種類に関する情報と、遊技履歴に関する数値情報とにより構成され、
ある遊技履歴情報を表示するときに、遊技履歴の種類に関する情報を点滅表示する（たとえば有利区間比率を表示する場合において、遊技回数が「１７５０００」回未満であるときは識別セグを点滅表示し、比率が「７０」以上であるときは比率セグを点滅表示する）場合を有し、
ある遊技履歴情報の遊技履歴の種類に関する情報を点滅表示するときには、Ｔ２（Ｔ２は期間）（２．２３５ｍｓ×１３４＝２９９．４９ｍｓ）ごとに点灯と消灯を繰り返し、
ある遊技履歴情報の遊技履歴に関する数値情報を算出するための所定の記憶手段（ＲＷＭ５３）を有し、
前記所定の記憶手段に記憶されている値（たとえば、図１８３中、アドレス「Ｆ２６Ｄ（Ｈ）」の「総遊技回数カウンタ」、又はアドレス「Ｆ２７Ｃ（Ｈ）」の「総払出し（累計）カウンタ」）が所定の上限値（「ＦＦＦＦＦＦ（Ｈ）」）に達している場合には、前記所定の記憶手段に記憶されている値を更新せず（図１９３のステップＳ２２７３（図１９４のステップＳ２２８４で「Ｙｅｓ」の場合）、又は、図１９６のステップＳ２３０１で「Ｙｅｓ」の場合）、
Ｔ１＝２×ｎ×Ｔ２（ｎは自然数）
となるように構成されている
ことを特徴とする。
【手続補正４】
【補正対象書類名】明細書
【補正対象項目名】０００６
【補正方法】変更
【補正の内容】
【０００６】
本発明によれば、遊技履歴情報の表示を次の遊技履歴情報に切り替えるタイミングと、遊技履歴情報を点滅表示するときの点滅開始タイミングとを一致させることができる。これにより、遊技履歴情報を点滅表示する場合に点滅のタイミングがずれ、表示部が故障していると誤認させないようにすることができる。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
深度範囲が関連付けられた複数の名称を記憶する記憶手段と、
名称を入力するための名称入力部と２つの境界を指示するための境界指示部を含む、深さ範囲を定義するための定義画面を表示手段に表示する制御手段と、
前記名称入力部に入力された名称、前記境界指示部で指示した前記２つの境界を互いに関連付けて、前記記憶手段に記憶する記憶制御手段と、
前記格納手段に記憶された複数の名称から１つの名称を選択する選択手段と、
被検眼の複数の断層像を取得する取得手段と、
複数の断層画像又は前記複数の断層像に基づいて生成された複数のモーションコントラストデータを、前記選択された名称に関連付けられた前記２つの境界により定義された深度範囲で投影した投影像を生成する生成手段と、
前記生成された投影像を前記表示手段に表示する表示制御手段とを有することを特徴とする画像表示装置。
【請求項２】
前記断層像を解析して複数の層境界線形状を検出する解析手段を更に有し、
前記２つの境界のそれぞれは、前記解析手段により検出される層境界線形状を指定することを特徴とする請求項１に記載の画像表示装置。
【請求項３】
前記深度範囲は、更に前記解析手段により検出される層境界線形状に対するオフセットである深度位置に基づいて定義されることを特徴とする請求項２に記載の画像表示装置。
【請求項４】
前記深度範囲は、２つの前記層境界線形状と、それぞれの層境界線形状に対する前記深度位置、又は、１つの前記層境界線形状と、該層境界線形状に対する２つの前記深度位置との何れかに基づいて定義されることを特徴とする請求項３に記載の画像表示装置。
【請求項５】
前記名称は、網膜浅層、網膜深層、網膜外層、放射状乳頭周囲毛細血管、脈絡膜毛細血管のいずれかを含み、
前記境界線形状は、網膜層構造に基づいたＩＬＭ（内境界膜）、ＮＦＬ（神経線維層）／ＧＣＬ（神経節細胞層）、ＧＣＬ／ＩＰＬ（内網状層）、ＩＰＬ／ＩＮＬ（内顆粒層）、ＩＮＬ／ＯＰＬ（外網状層）、ＯＰＬ／ＯＮＬ（外顆粒層）、ＩＳ（視細胞内節）／ＯＳ（視細胞外節）、ＯＳ／ＲＰＥ（網膜色素上皮）、ＲＰＥ／Ｃｈｏｒｏｉｄ（脈絡膜）、ＢＭ（ブルッフ膜）、及び、水平の直線形状であるＬｉｎｅのいずれかを含む複数の境界線形状の中から選択されることを特徴とする請求項２乃至４の何れか１項に記載の画像表示装置。
【請求項６】
前記生成手段は、前記選択された一つの深度範囲に基づき、異なる撮影でそれぞれ得られた複数の断層像から複数の投影像を生成し、
前記表示制御手段は、前記生成された複数の投影像を前記表示手段の同一画面に表示することを特徴とする請求項１乃至５の何れか１項に記載の画像表示装置。
【請求項７】
前記表示制御手段は、疾病や診断目的別に実施される各検査セットと、前記定義された深度範囲を示す前記名称を関連付けるための設定画面を前記表示手段に表示することを特徴とする請求項１乃至６の何れか１項に記載の画像表示装置。
【請求項８】
前記投影像は、ＯＣＴＡ画像であることを特徴とする請求項１乃至７の何れか１項に記載の画像表示装置。
【請求項９】
名称を入力するための名称入力部と２つの境界を指示するための境界指示部を含む、深さ範囲を定義するための定義画面を表示手段に表示し、
前記名称入力部に入力された名称、前記境界指示部で指示した前記２つの境界を互いに関連付けて、記憶手段に記憶し、
前記記憶手段に記憶された深度範囲が関連付けられた複数の名称から１つの名称を選択し、
被検眼の複数の断層像を取得し、
前記複数の断層像に基づいて生成された複数のモーションコントラストデータを、前記選択された名称に関連付けられた前記２つの境界により定義された深度範囲で投影した投影像を生成し、
前記生成された投影像を前記表示手段に表示することを特徴とする画像表示方法。
【請求項１０】
請求項１乃至８の何れか１項に記載の画像表示装置の各手段を、コンピュータで実現するためのプログラム。
【手続補正２】
【補正対象書類名】明細書
【補正対象項目名】００１１
【補正方法】変更
【補正の内容】
【００１１】
本発明に係る画像表示装置は、深度範囲が関連付けられた複数の名称を記憶する記憶手段と、名称を入力するための名称入力部と２つの境界を指示するための境界指示部を含む、深さ範囲を定義するための定義画面を表示手段に表示する制御手段と、前記名称入力部に入力された名称、前記境界指示部で指示した前記２つの境界を互いに関連付けて、前記記憶手段に記憶する記憶制御手段と、前記格納手段に記憶された複数の名称から１つの名称を選択する選択手段と、被検眼の複数の断層像を取得する取得手段と、複数の断層画像又は前記複数の断層像に基づいて生成された複数のモーションコントラストデータを、前記選択された名称に関連付けられた前記２つの境界により定義された深度範囲で投影した投影像を生成する生成手段と、前記生成された投影像を前記表示手段に表示する表示制御手段とを有する。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
成形材料を溶融して金型内に射出する射出手段と、
前記射出手段を加熱する加熱手段と、
前記射出手段による前記金型内への射出制限時間を設定する設定手段と、
前記射出手段の駆動を制御する制御手段と、を備え、
前記制御手段は、前記金型に対する非連結状態の前記射出手段内に存在する成形材料を前記加熱手段により加熱溶融して射出するパージ動作を制御し、前記パージ動作の終了後であって且つ前記射出制限時間の経過後に、射出開始指令に基づいて前記射出手段によって成形材料の射出を開始させることを特徴とする射出成形装置。
【請求項２】
成形材料を溶融して金型内に射出する射出手段と、
前記射出手段を加熱する加熱手段と
前記射出手段による前記金型内への射出制限時間を設定する設定手段と、
前記射出手段の駆動を制御する制御手段と、を備え、
前記制御手段は、前記金型に対する非連結状態の前記射出手段内に存在する成形材料を前記加熱手段により加熱溶融して射出するパージ動作を制御し、前記パージ動作の終了後において、射出開始指令を取得したタイミングが前記射出制限時間の経過前であれば前記射出制限時間の経過後に前記射出手段によって成形材料の射出を開始させることを特徴とする射出成形装置。
【請求項３】
前記制御手段は、前記パージ動作の終了後において、前記射出開始指令を取得したタイミングが前記射出制限時間を経過した後であれば前記射出手段によって成形材料の射出を開始させることを特徴とする請求項２に記載の射出成形装置。
【請求項４】
前記射出手段の射出開始を操作する操作部と、前記設定手段に対する前記射出制限時間の設定入力部とを有する操作手段を備えたことを特徴とする請求項１乃至３のいずれか１項に記載の射出成形装置。
【請求項５】
前記パージ動作の終了後において、前記射出制限時間内に前記射出開始指令を取得していなかった場合、ユーザに所定の通知を行う報知手段を備えたことを特徴とする請求項１乃至４のいずれか１項に記載の射出成形装置。
【手続補正２】
【補正対象書類名】明細書
【補正対象項目名】０００８
【補正方法】変更
【補正の内容】
【０００８】
本発明の射出成形装置は、成形材料を溶融して金型内に射出する射出手段と、前記射出手段を加熱する加熱手段と、前記射出手段による前記金型内への射出制限時間を設定する設定手段と、前記射出手段の駆動を制御する制御手段と、を備え、前記制御手段は、前記金型に対する非連結状態の前記射出手段内に存在する成形材料を前記加熱手段により加熱溶融して射出するパージ動作を制御し、前記パージ動作の終了後であって且つ前記射出制限時間の経過後に、射出開始指令に基づいて前記射出手段によって成形材料の射出を開始させることを特徴とする。
また、本発明の射出成形装置は、成形材料を溶融して金型内に射出する射出手段と、前記射出手段を加熱する加熱手段と、前記金型内への射出制限時間を設定する設定手段と、前記射出手段を制御する制御手段と、を備え、前記制御手段は、前記金型に対する非連結状態の前記射出手段内に存在する成形材料を前記加熱手段により加熱溶融して射出するパージ動作を制御し、前記パージ動作の終了後において、前記射出手段による前記金型内への射出開始指令を取得したタイミングが前記射出制限時間内であれば前記射出制限時間の経過後に前記射出手段によって成形材料の射出を開始させることを特徴とする。